(57)【要約】【課題】締結具を外すことなく緩めるだけで照明機器を作業性良く簡単に取り付け及び取り外しすることができる照明器具の固定構造を提供すること。【解決手段】長手方向両端に設けられた固定用ステイ２，３に形成された切欠き溝に挿通するネジ（締結具）６，７によって照明器具１を固定する固定構造として、前記固定用ステイ２，３に、互いに直交する向きに開口する切欠き溝４ａ（５ａ），４ｂ（５ｂ）をそれぞれ形成する構成を採用する。又、前記各固定用ステイ２，３に、互いに直交する向きに開口する２つの切欠き溝４ａ，５ａと４ｂ，５ｂをそれぞれ形成する。【選択図】図１
2014137986.tif 000002
【特許請求の範囲】
【請求項１】
長手方向両端に設けられた固定用ステイに形成された切欠き溝に挿通する締結具によって照明器具を固定する固定構造であって、
前記固定用ステイに、互いに直交する向きに開口する切欠き溝をそれぞれ形成したことを特徴とする照明器具の固定構造。
【請求項２】
前記各固定用ステイに、互いに直交する向きに開口する２つの切欠き溝をそれぞれ形成したことを特徴とする請求項１記載の照明器具の固定構造。
【発明の詳細な説明】
【技術分野】
【０００１】
本発明は、長手方向両端に設けられた固定用ステイに形成された切欠き溝に挿通するネジ等の締結具によって照明器具を固定する固定構造に関するものである。
【背景技術】
【０００２】
照明器具の従来の固定構造を図３に示すが、図示のように照明器具１０１の長手方向両端には固定用ステイ１０２，１０３が設けられており、各固定用ステイ１０２，１０３には左右外側方に向かって開口するＵ字状の切欠き溝１０４，１０５がそれぞれ形成されている。そして、照明器具１０１は、各固定用ステイ１０２，１０３に形成された切欠き溝１０４，１０５に挿通するネジ１０６，１０７を締め付けることによって天井壁や壁面に固定される（例えば、特許文献１参照）。
【先行技術文献】
【特許文献】
【０００３】
【特許文献１】特開２００８−２１０９４３号公報
【発明の概要】
【発明が解決しようとする課題】
【０００４】
しかしながら、図３に示す照明機器器具１０１の従来の固定構造においては、交換等のために照明器具１０１を取り外す場合には、全てのネジ１０６，１０７を完全に外さなければ照明器具１０１を取り外すことができず、作業性が悪いという問題があった。
【０００５】
本発明は上記問題に鑑みてなされたもので、その目的とする処は、締結具を外すことなく緩めるだけで照明器具を作業性良く簡単に取り付け及び取り外しすることができる照明器具の固定構造を提供することにある。
【課題を解決するための手段】
【０００６】
上記目的を達成するため、請求項１記載の発明は、長手方向両端に設けられた固定用ステイに形成された切欠き溝に挿通する締結具によって照明器具を固定する固定構造であって、前記固定用ステイに、互いに直交する向きに開口する切欠き溝をそれぞれ形成したことを特徴とする。
【０００７】
請求項２記載の発明は、請求項１記載の発明において、前記各固定用ステイに、互いに直交する向きに開口する２つの切欠き溝をそれぞれ形成したことを特徴とする。
【発明の効果】
【０００８】
請求項１記載の発明によれば、照明器具はその長手方向両端に設けられた固定用ステイに形成された切欠き溝に挿通する締結具によって固定されるが、両固定用ステイに形成された切欠き溝は互いに直交する向きに開口しているため、両締結具を外すことなく緩めれば、一方の固定ステイの切欠き溝を一方の締結具から外すことができる。そして、照明機具全体を他方の締結具を中心として回した後、該照明器具を長手方向に移動させれば、他方の固定用ステイの切欠き溝が他方の締結具から抜けるため、締結具を外すことなく緩めるだけで照明器具を作業性良く簡単に取り外すことができる。又、取り外し手順とは逆の手順によって締結具を外すことなく緩めるだけで照明器具を作業性良く簡単に取り付けることができる。
【０００９】
請求項２記載の発明によれば、各固定用ステイに互いに直交する向きに開口する２つの切欠き溝をそれぞれ形成したため、照明器具の方向性を気にすることなく、これの取り付け及び取り外しを作業性良く簡単に行うことができる。
【図面の簡単な説明】
【００１０】
【図１】本発明に係る固定構造を備える照明器具の正面図である。
【図２】（ａ）〜（ｃ）は本発明に係る固定構造を備える照明器具の取り外し要領をその工程順に示す正面図である。
【図３】照明器具の従来の固定構造を示す正面図である。
【発明を実施するための形態】
【００１１】
以下に本発明の実施の形態を添付図面に基づいて説明する。
【００１２】
図１は本発明に係る固定構造を備える照明器具の正面図であり、図示のように照明器具１の長手方向両端には固定用ステイ２，３が設けられており、各固定用ステイ２，３には互いに直交する向きに開口するＵ字状の各２つの切欠き溝４ａ，５ａと４ｂ，５ｂがそれぞれ形成されている。即ち、一方（図１の左側）の固定用ステイ２には、下方に向かって開口する切欠き溝４ａと左方に向かって開口する切欠き溝５ａが形成されており、これらの切欠き溝４ａ，５ａは互いに直交する方向に開口している。又、他方（図１の右側）の固定用ステイ３には、右方に向かって開口する切欠き溝４ｂと上方に向かって開口する切欠き溝５ｂが形成されており、これらの切欠き溝４ｂ，５ｂは互いに直交する方向に開口している。そして、下側の水平な直線Ｌ１上には固定用ステイ２の切欠き溝４ａと固定用ステイ３の切欠き溝４ｂとが配置されており、これらの切欠き溝４ａ，４ｂはその開口方向が互いに直交している。又、上側の水平な直線Ｌ２上には固定用ステイ２の切欠き溝５ａと固定用ステイ３の切欠き溝５ｂとが配置されており、これらの切欠き溝４ａ，５ｂはその開口方向が互いに直交している。
【００１３】
而して、照明器具１は、例えば図１に示すように下側の水平な直線Ｌ１上に配置された固定用ステイ２の切欠き溝４ａと固定用ステイ３の切欠き溝４ｂに挿通するネジ６，７を締め付けることによって天井壁や壁面に固定される。この場合、切欠き溝４ａ，４ｂは水平な直線Ｌ１上に配置されているため、これらの切欠き溝４ａ，４ｂに挿通するネジ６，７を締め付けることによって照明器具１が水平に固定される。
【００１４】
このように固定された照明器具１は交換時等に図２（ａ）〜（ｃ）に示す要領によって取り外される。
【００１５】
即ち、図２（ａ）に示すようにネジ６，７によって固定された照明器具１を取り外すには、２本のネジ６，７を取り外すことなく緩めれば、一方の固定ステイ２の切欠き溝４ａを一方のネジ６から外すことができる。そして、照明器具１の全体を図２（ｂ）に示すように他方のネジ７を中心として矢印方向に例えば９０°回した後、該照明器具１をず矢印方向（図２（ｂ）の上方）に移動させれば、図２（ｃ）に示すように切欠き溝４ｂがネジ７から抜けるため、ネジ６，７を外すことなく緩めるだけで照明器具１を作業性良く取り外すことができる。
【００１６】
又、以上の取り外し手順とは逆の手順によってネジ６，７を外すことなく照明器具１を作業性良く取り付けることができる。
【００１７】
そして、本実施の形態では、各固定用ステイ２，３に互いに直交する向きに開口する各２つの切欠き溝４ａ，５ａと４ｂ，５ｂをそれぞれ形成したため、照明器具１の方向性を気にすることなく、これの取り付け及び取り外しを作業性良く簡単に行うことができる。
【符号の説明】
【００１８】
１          照明器具
２，３      固定用ステイ
４ａ，４ｂ  切欠き溝
５ａ，５ｂ  切欠き溝
６，７      ネジ（締結具）
【図１】
2014137986.tif 000003
【図２】
2014137986.tif 000004
【図３】
2014137986.tif 000005